(57)【要約】 【課題】エンドユーザーが、プッシュ・プル仕様と片面的仕様とを自由に選択することができること。【解決手段】押圧片によって移動可能な第１摺動体と第２摺動体を錠箱内に設け、一方、錠箱内に前板の開口に外端部分が位置するようにスイッチ式操作片を軸支し、この操作片の内端部に可動片を係合させ、さらに、錠箱内に前記可動片を保持できる保持手段を配設し、仕様態様の切替え時、前記操作片の外端部分を前板側から操作すると、前記可動片は、前記摺動体の前進を阻止する位置まで移動して、本来的なプッシュ・プル仕様から片面的仕様態様に切り替わることを特徴とするプシュ・プル錠。【選択図】  図８
2007120057.tif 000002
【特許請求の範囲】
【請求項１】
押圧片によって移動可能な第１摺動体と第２摺動体を錠箱内に設け、一方、錠箱内に前板の開口に外端部分が位置するようにスイッチ式操作片を軸支し、この操作片の内端部に可動片を係合させ、さらに、錠箱内に前記可動片を保持できる保持手段を配設し、仕様態様の切替え時、前記操作片の外端部分を前板側から操作すると、前記可動片は、前記摺動体の前進を阻止する位置まで移動して、本来的なプッシュ・プル仕様から片面的仕様態様に切り替わることを特徴とするプシュ・プル錠。
【請求項２】
請求項１に於いて、操作片は、前板の内壁面の軸受けに横設軸架された支軸を介して錠箱側に設けられ、該操作片の操作力により位置変位する可動片の後壁が摺動体の前進を阻止することを特徴とするプシュ・プル錠。
【請求項３】
請求項１に於いて、操作片は、前板の内壁面の軸受けに横設軸架された支軸を介して錠箱側に設けられ、該操作片の操作力により位置変位する該操作片の内端部が摺動体の前進を阻止することを特徴とするプシュ・プル錠。
【請求項４】
ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパー、この可動ストッパーを介して可動枠部材の規制を解消するラッチ用仮施錠の解錠機構を備えたプッシュ・プル錠に於いて、錠箱内に前板の開口に突起状の外端部分が位置するようにスイッチ式操作片を軸支し、この操作片の内端部に可動片を係合させ、さらに、錠箱内に前記を保持できる保持手段を配設し、仕様態様の切替え時、前記操作片の外端部分を前板側から操作すると、前記可動片は、前記同調部材の前進が阻止する位置まで移動して、本来的なプッシュ・プル仕様から片面的仕様態様に切り替わることを特徴とするプシュ・プル錠。
【請求項５】
請求項４に於いて、可動片は、前板の裏側に配設した保持手段に保持され、該保持手段は、前板に固定された枠状支持片と、この枠状支持片に設けた付勢手段とから成ることを特徴とするプシュ・プル錠。
【請求項６】
押圧片によって移動可能な第１摺動体と第２摺動体を錠箱内に設け、一方、錠箱内に前板の開口に突起状の外端部分が位置するようにスイッチ式操作片を軸支し、前記外端部分の外壁面又は前記開口縁部のいずれかに、該操作片を、少なくとも切換え位置で保持することができる保持手段を設け、仕様態様の切替え時、前記操作片の外端部分を前板側から操作すると、前記操作片の内端部が前記摺動体の前進を阻止する位置まで移動して、本来的なプッシュ・プル仕様から片面的仕様態様に切り替わることを特徴とするプシュ・プル錠。
【請求項７】
ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパー、この可動ストッパーを介して可動枠部材の規制を解消するラッチ用仮施錠の解錠機構を備えたプッシュ・プル錠に於いて、錠箱内に前板の開口に突起状の外端部分が位置するようにスイッチ式操作片を軸支し、前記外端部分の外壁面又は前記開口縁部のいずれかに、該操作片を、少なくとも切換え位置で保持することができる保持手段を設け、仕様態様の切替え時、前記操作片の外端部分を前板側から操作すると、前記操作片の内端部が前記同調部材の前進を阻止する位置まで移動して、本来的なプッシュ・プル仕様から片面的仕様態様に切り替わることを特徴とするプシュ・プル錠。
【発明の詳細な説明】
【技術分野】
【０００１】
本発明は、プシュ・プル錠に関し、特に操作片を操作すると、本来的なプッシュ・プル仕様から片面的仕様態様に切り替わるプシュ・プル錠に関する。
【背景技術】
【０００２】
特許文献１、特許文献２には、「扉の取付け場所（例えばドアクローザが必要ない室内扉）を考慮し、ユーザーが錠箱の前板から見える操作片の操作部を操作すると、プッシュ・プル仕様から片面的仕様（プル仕様、又はプッシュ仕様）へと切り換るプッシュ・プル錠の具体的構成」が開示されている。
【０００３】
これらの発明は、例えばトイレ、寝室等の室内扉の操作ハンドルをプッシュして当該室内側（向こう側）へ勢い良くプッシュして開扉する場合、また、勝手口の扉を室内側の操作ハンドルを操作して室外側へとプッシュして開扉する場合に於いて、ドアクローザが建具に取付けられていないときに有益である。
【０００４】
その理由は、プッシュ・プル仕様から片面的仕様（例えばプル仕様）に切り換えると、扉を開ける場合には、一旦手前側にプル操作して扉を開ける必要があるから、扉を向こう側或いは室外側へ勢い良く開扉する事態（お年より等がバランスを崩すこと）を極力防ぐことができるからである。
【特許文献１】特開２００４−２１１５２９号公報
【特許文献２】特開２００４−２２５３８４号公報
【発明の開示】
【発明が解決しようとする課題】
【０００５】
本発明の第１の目的は、エンドユーザーが、前板側からスイッチ式の操作片の外端部分を操作すると、簡単にプッシュ・プル仕様から片面的仕様（プル仕様、又はプッシュ仕様）に切替えることができること。第２の目的は、規制対象の摺動体（第１実施例）又は同調部材（第２実施例）の所定方向への移動を確実に阻止することができること。第３の目的は、摺動体や同調部材の先端部の形状に関する設計の自由度を高めること。
【課題を解決するための手段】
【０００６】
本発明のプシュ・プル錠は、押圧片によって移動可能な第１摺動体と第２摺動体を錠箱内に設け、一方、錠箱内に前板の開口に外端部分が位置するようにスイッチ式操作片を軸支し、この操作片の内端部に可動片を係合させ、さらに、錠箱内に前記可動片を保持できる保持手段を配設し、仕様態様の切替え時、前記操作片の外端部分を前板側から操作すると、前記可動片は、前記摺動体の前進を阻止する位置まで移動して、本来的なプッシュ・プル仕様から片面的仕様態様に切り替わる。
【０００７】
また、本発明のプシュ・プル錠は、ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパー、この可動ストッパーを介して可動枠部材の規制を解消するラッチ用仮施錠の解錠機構を備えたプッシュ・プル錠に於いて、錠箱内に前板の開口に突起状の外端部分が位置するようにスイッチ式操作片を軸支し、この操作片の内端部に可動片を係合させ、さらに、錠箱内に前記を保持できる保持手段を配設し、仕様態様の切替え時、前記操作片の外端部分を前板側から操作すると、前記可動片は、前記同調部材の前進が阻止する位置まで移動して、本来的なプッシュ・プル仕様から片面的仕様態様に切り替わる。
【０００８】
また、本発明のプシュ・プル錠は、押圧片によって移動可能な第１摺動体と第２摺動体を錠箱内に設け、一方、錠箱内に前板の開口に突起状の外端部分が位置するようにスイッチ式操作片を軸支し、前記外端部分の外壁面又は前記開口縁部のいずれかに、該操作片を、少なくとも切換え位置で保持することができる保持手段を設け、仕様態様の切替え時、前記操作片の外端部分を前板側から操作すると、前記操作片の内端部が前記摺動体の前進を阻止する位置まで移動して、本来的なプッシュ・プル仕様から片面的仕様態様に切り替わる。
【０００９】
さらに、本発明のプシュ・プル錠は、ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパー、この可動ストッパーを介して可動枠部材の規制を解消するラッチ用仮施錠の解錠機構を備えたプッシュ・プル錠に於いて、錠箱内に前板の開口に突起状の外端部分が位置するようにスイッチ式操作片を軸支し、前記外端部分の外壁面又は前記開口縁部のいずれかに、該操作片を、少なくとも切換え位置で保持することができる保持手段を設け、仕様態様の切替え時、前記操作片の外端部分を前板側から操作すると、前記操作片の内端部が前記同調部材の前進を阻止する位置まで移動して、本来的なプッシュ・プル仕様から片面的仕様態様に切り替わる。
【発明の効果】
【００１０】
以上の説明から明らかなように、本発明にあっては、次に列挙するような効果がある。
（１）エンドユーザーが建物の扉の取付け場所を考慮し、プッシュ・プル仕様と、片面的仕様（プル仕様、又はプッシュ仕様）とを、自由に選択することができる。
（２）仕様態様の切替え時、前板７側から、例えば指でスイッチ式操作片の外端部分を操作すると、可動片が所定位置まで移動し、摺動体（例えば第１実施例の第２摺動体４７）或いは同調部材３９Ａ（第２実施例）の先端部に対向するので、簡単にプッシュ・プル仕様から片面的仕様に、又は片面的仕様から本来的なプッシュ・プル仕様に切替えることができる。
（３）また、規制対象の摺動体（第１実施例）又は同調部材（第２実施例）の所定方向への移動を確実に阻止することができると共に、摺動体や同調部材の先端部の形状に関する設計の自由度を高めることができる。
【発明を実施するための最良の形態】
【００１１】
まず、本発明の第１実施例を説明する。なお、本発明の各実施例の説明に当たって、特許文献１に記載の発明と同一の部分には、同一又は同様の符号を付する。本発明の第１実施例が特許文献１（公知例）と主に異なる点は、従来の仕様変換手段は、操作部としての嵌合突起が前板の開口に回転自在に設けられたボタン式操作片であるのに対して、シーソー式或いはスイッチ式操作片である。
【００１２】
すなわち、本発明の主要部は、「錠箱内に前板の開口に外端部分が位置するようにスイッチ式操作片４０を軸支し、この操作片の内端部に制御部及び係合部をそれぞれ介して可動片を係合させ、さらに、錠箱内に前記可動片４３を保持できる保持手段４５を配設し、仕様態様の切替え時、前記操作片４０の外端部分を前板側から操作すると、前記可動片４０は、前記第２摺動体の前進を阻止する位置まで移動して、本来的なプッシュ・プル仕様から片面的仕様態様に切り替わること」である。以下、本発明の構成を詳細に説明する。
【００１３】
（ａ）第１実施例
図１乃至図９は、第１実施例を示す各説明図である。まず、図１は発明を構成する環境全体を示す。この図１に於いて、Ｘは錠箱の上部空間に配設されたラッチの係止解除機構、Ｙは錠箱の下部空間に配設されたサムターン錠の締め出し防止機構、１は戸枠、２は受け金具、３は受け金具の縁、４は扉、５は扉の自由端部内に設けた錠前（プッシュ・プル錠）、６は錠箱、７は錠箱の前板、８はラッチ枠部である。
【００１４】
前記錠箱６には、前板７の開口１４に対して突片状の外端部分が位置するようにスイッチ式操作片４０が軸支されている。操作片４０は、望ましくは、前記前板７の内壁面に突出形成されて一組の軸受け１５及び該軸受けに横設軸架された支軸４１を介して回転自在に支持されている。
【００１５】
そして、スイッチ式操作片４０の外端部分４０ａを操作すると、可動片４３の位置が切り換り、プッシュ・プル錠におけるラッチ施錠片の解除態様が、プッシュ・プル仕様又はプル仕様のいずれかに切り替わる。
【００１６】
なお、錠箱５内は、開扉の時に不注意によりラッチを施錠した状態で扉を閉めた時にラッチの施錠状態が自動的に解錠状態となるサムターン錠の締め出し防止装置Ｙとが設けられている。
【００１７】
（ｂ）図２−錠箱６の構成
次に、図２は錠箱６の構成を示す。また、図３はラッチ枠部８、ラッチ３０、ラッチ作動杆３３等を示す。これら図２、図３に於いて、６ａはケース身、６ｂはケース蓋、７は前板（裏板７ａとフロント７ｂ）、８はラッチ枠部、９は前板７の中央部に形成されたラッチ用開口窓である。
【００１８】
前記ラッチ枠部８は、図３で示すように、上壁８ａと、下壁８ｂ、後壁８ｃとを有する端面コ字型形状である。そして、前記上壁８ａにはラッチの係止解除機構Ｘを構成するラッチ施錠片（第１施錠片）６０用の第１受入れ孔１０が形成され、一方、下壁８ｂには、第２施錠片７１用の第２受入れ孔１１が形成されている。また、第１・第２受入れ孔１０，１１は、開口窓９側から前記後壁８ｃに向かって形成された水平長孔である。またラッチ枠部８の後壁８ｃの一側壁には、上下方向の一部に作動杆３３用の切欠部１２が形成されている。
【００１９】
図２に戻って、１４は前板７に形成された操作片４０用開口で、この開口１４の後方には、前板７に対して、或いは錠箱の内壁面に対して、「可動片を保持できる保持手段」が配設されている。
【００２０】
また、１６は前記保持手段を基準にして上下に設けられた第１摺動体用の上方水平案内部、一方、１７は錠箱６の下方隅角部に形成されたサムターンダルマ用軸孔１８を基準にして上下かつオフセット状態に設けられたリリーススライダー用の下方水平案内部である。
【００２１】
また、１８はサムターンダルマ用軸孔、２０は錠箱６の上部側に形成された操作ハンドルに連動する、或いは操作ハンドルの水平軸に一体的に固定された押圧片４８，４９用の矩形状窓孔である。
【００２２】
さらに、錠箱６には固定軸が複数個配設されている。固定軸を上方から順番に説明すると、２１は第１固定軸、２２は第２固定軸、２３は第３固定軸、２４は第４固定軸、そして、２５は錠箱の底壁の中央部に設けられた第５固定軸である。
【００２３】
（ｃ）ラッチなど−図３
次に、図３に於いて、３０はラッチ、３０ａは開口縁３と摺接する衝止面、３０ｂ，３０ｂは回転軸機能、係合機能等を有する突起部、３０ｃ，３０ｃはラッチの後端部、３１は後端部に形成されバネ端収納部である。
【００２４】
また、３２はラッチバネで、この一端部３２ａは、ラッチの作動杆３３の端面Ｌ型状先端部３４に圧接し、一方、その他端部３２ｂはラッチ枠部８の後壁８ｃ内面に圧接する。
【００２５】
また、３３はラッチの作動杆、３４は作動杆の先端部、３４ａはラッチバネ３２の一端部３２ａを受けるバネ端支持壁、３４ｂは支持壁３４ａと交差する先端部一側壁、３５はラッチ枠部８の切欠部１２に案内される摺動壁である。しかして、前記バネ端支持壁３４ａの内壁面と後端部の前壁面との間には、バネ収納空間３６が設けられている。また前記後端部には、その後壁面の上端部寄りの部位から底壁面に向かって傾斜状の係合面３７ａを有する係合切欠部３７が形成されている。
【００２６】
（ｄ）前板、操作片４０など−図４
次に、図４は主要部を構成する前板７、操作片４０などを示す。図４に於いて、１５は前板７の開口１４を基準にして、開口１４縁部の内壁面に垂直状態に設けられた一組の軸受けである。本実施例では、前板７の内壁面に左右一対の軸受け１５が突設されている。４０は開口１４内に突起状の外端部分４０ａが位置するように（例えば外端部分が開口１４に望むように位置する場合も含まれる）に中心部（外端部分寄りの部位も含む）４０ｂが支軸４１を介して軸受け１５に軸支されたスイッチ式操作片である。
【００２７】
前記支軸４１は軸受け１５に横設軸架されている。４０ｃは中心部４０ｂに水平方向に連設形成された内端部で、この内端部４０ｃには制御部４２が交差状態に突出している。本実施例では、制御部４２の一例として内端部４０ｃの貫通孔に貫通状態に挿通された制御ピン４２が用いられている。もちろん、制御ピン４２に代えて内端部４０ｃの左右側壁に小突起を形成しても良い。制御ピン４２或いは小突起は係合長孔（案内孔）４４に遊嵌合する。
【００２８】
次に、４３は操作片４０の内端部４０ｃに制御ピン４２及び係合部（例えば係合長孔）をそれぞれ介して係合する可動片である。この可動片４３は、前面と底面が開口するケース状に形成されている。
【００２９】
したがって、４３ａは上端部側に前記係合長孔４４を有する左右一対の側壁、４３ｂは側壁４３ａと直交する上壁、４３ｃは側壁４３ａ及び上壁４３ｂに直交する後壁（障害壁或いは障害部分）である。前記左右の側壁４３ａの外壁面には、クリックボール用の小係合溝が複数個形成されている。
【００３０】
次に、図８で示すように、４５は開口１４に対して所要間隔離間して錠箱５内に配設され、かつ、前記可動片４３を保持できる保持手段である。保持手段４５ａは錠箱５内に適宜に固定された端面チャンネル形状の支持枠である。保持手段４５は、本実施例では、支持枠４５ａと、この支持枠４５ａの左右の側壁の中心部に形成された装着用の支持孔にそれぞれ組み込まれる付勢部材４５ｂとから成る。なお、前記付勢部材４５ｂは不番の止め具、クリックバネ、クリックボールから成り、前記クリックボールは可動片４３の左右の側壁４３ａの小係合溝（不番）に選択的に係脱する。
【００３１】
（ｅ）摺動体４６．４７など−図５
次に、図５は錠箱５の上方の収納空間に水平状態に配設されたプッシュ・プル用摺動体４６，４７と摺動体用付勢バネ５２を示す。なお、ここでは外枠の摺動体を第１摺動体４６、一方、外枠の摺動体内に組み込まれた枠状の摺動体を第２摺動体４７とする。また、外側の操作ハンドルに連動する部材を上方の押圧片４８とし、一方、内側の操作ハンドルに連動する部材を下方の押圧片４９とする（図１参照）。
【００３２】
まず、外枠の第１摺動体４６は、複数個の係合突起を介して錠箱６の上方水平案内部１６に水平動自在に設けられている。しかして、４６ａは上壁部、４６ｂは下壁部、４６ｃは上下壁部と直交する後壁部、４６ｄは後壁部に対して所要の空間を有して対向する前壁部である。前記後壁部４６ｃの内壁面は前述した上下の押圧片４８，４９を受ける受け板の機能を有する。また前記下壁部４６ｂの一部には揺動レバー５５用の切欠部５１が形成されている。さらに、前記前壁部４６ｄは摺動体用付勢バネ５２の一端部を受ける機能や保持手段１５と当接する機能を有する。しかも、前壁部４６ｄは上下壁部４６ａ，４６ｂの先端部寄りの部位に設けられていると共に、ケース身６ａの幅広側壁側には、第２摺動体４７の移動を許容する図示しない切欠部を有している。
【００３３】
次に、内側の第２摺動体４７は、横長のコ時型形状に形成され、操作片４０及び上下の押圧片４８，４９にそれぞれ関連付けられて（操作片４０の障害壁４３ｃに対向可能、押圧片４８，４９に係合する意味）外枠第１摺動体４６内に水平動自在に設けられている。
しかして、４７ａは内側の上壁部、４７ｂは内側の下壁部、４７ｃは上下壁部４７ａ，４７ｂと直交する内側の後壁部、４７ｄは後壁部と対向するバネ受け用隔壁、４７ｅは操作片４０と直接又は間接的に関係する先端部である。
【００３４】
前記内側の上下壁４７ａ，４７ｂの先端部寄りの部位には、逃し用切欠部５３が形成され、また前記内側の下壁４７ｂの一部には、揺動レバー用の切欠部５１と同様の内側切欠部５４が形成されている。さらに、前記バネ受け用隔壁４７ｄは前述した摺動体用付勢バネ５２の他端部を受ける。したがって、摺動体用付勢バネ５２は、第１及び第２摺動体４６，４７内に組み込まれている。
【００３５】
（ｆ）揺動レバー５５など−図１
次に図１を参照にして揺動レバー５５等について説明する。５５は第２固定軸２２に軸支された揺動レバーである。この揺動レバー５５の上方のアーム部５６は、第１及び第２摺動体４６，４７の各切欠部５１，５４に係合している。一方、アーム部５６に連設する下方部分にはバネ受け部５７が形成されている。前記アーム部５６の先端部には係合突起５６ａが設けられ、この係合突起５６ａは、ラッチ用第１の施錠片６０の上辺部分と常に係合している。
【００３６】
また、５８は第２固定軸２２に巻装された揺動レバー用バネで、このバネ５８は揺動レバー５５のアーム部５６が常時第１及び第２摺動体４６，４７の各切欠部５１，５４に係合する方向へと付勢する。
【００３７】
また、６０は第１固定軸２１に軸支された長板状の第１の施錠片で、この第１の施錠片の先端部側には、ラッチ枠部８の第１受入れ孔１０から入り込んでラッチ３０の突起部３０ｂと係脱する幅広の第１係合部６１が設けられている。一方、第１の施錠片の後端部側には、第１摺動体４６の後端下部と当接する傾斜状の第２係合部６２が設けられている。
【００３８】
また、６３は第１固定軸２１に中央部が巻装された第１施錠片用バネで、この第１施錠片用バネ６３は、前記第１係合部６１がラッチ３０の突起部３０ｂに係合する方向へ常時付勢する。
【００３９】
（ｇ）作用の１−図６
前述したように、この実施例では、前板７の手前から指で操作片４０を操作すると、プッシュ・プル錠におけるラッチ施錠片６０の解除態様が、プッシュ・プル仕様又はプル仕様（又はプッシュ仕様）のいずれかに切り替わる。
【００４０】
まず、図６は操作片４０が略水平状態に位置している場合である。すなわち、操作片４０の外端部分（操作部分）４０ａないし内端部４０ｃが水平状態の場合に於いて、当該操作ハンドル（内外の操作ハンドル如何を問わない）を「プル（引く操作）」又は「プッシュ（押す操作）」した場合である。
【００４１】
この場合プッシュ・プル錠は、本来的意味でのプッシュ・プル仕様である。すなわち、外側の操作ハンドルであろうと、又は内側の操作ハンドルであろうと、手にした当該操作ハンドルを「プル」又は「プッシュ」すると、第１摺動体４６は後退方向へ、又は第２摺動体４７は前進方向へそれぞれ移動する。その結果、ラッチ施錠片６０はダイレクトに、又は揺動レバー５５を介して係合解錠方向へ回動（揺動）する。
【００４２】
ところで、図１、図６に於いて、ここでは説明の便宜上、第１摺動体４６がプル用として機能した場合（プル用摺動体）、一方、第２摺動体４７がプッシュ用として機能した場合（プッシュ用摺動体）をその作用の一例として説明する。
【００４３】
すなわち、ここでは外枠の第１摺動体４６（一方）を、内外の操作ハンドルを「プル（引く操作）」した時に水平移動するプル用摺動体とし、内側の第２摺動体４７（他方）を、内外の操作ハンドルを「プッシュ（押す操作）」した時に水平移動するプッシュ用摺動体とする。
【００４４】
また、錠箱６の窓孔２０からは、内外の操作ハンドルの上下の押圧片４８，４９が水平状態に入り込んでいるが、図１を基準にして上の押圧片４８が後退（錠箱の後壁に向かって移動）する場合は「プル時」とし、一方、図１を基準にして下の押圧片４９が前進（錠箱の前板に向かって移動）する場合は「プッシュ時」とする。
【００４５】
このような前提にて、例えば外側操作ハンドルのプル時（或いは内側操作ハンドルのプル時）には、外枠の第１摺動体４６は上方の押圧片４８に押されて図６矢印Ａの方向に移動する。
【００４６】
したがって、ラッチ施錠片６０は第１摺動体４６の後壁４６ｃ下部に押されることになるから、第１固定軸２１を支点にバネ６３のバネ力に抗して係合解除の方向へダイレクトに回動する。
【００４７】
一方、内側操作ハンドルのプシュ時には、今度は内側の第２摺動体４７が下方の押圧片４９に押されて図６矢印Ｂの方向に移動する。
【００４８】
したがって、ラッチ施錠片６０は、揺動レバー５５がそのバネ５８のバネ力に抗して反時計方向に回動（揺動）することになるから、第１固定軸２１を支点に係合解除の方向へ回転する。
【００４９】
なお、図６の場合に於いて、例えば内側操作ハンドルのプル時には、外枠の第１摺動体４６は下方の押圧片４８に押されて図６矢印Ａの方向に移動する。また内外操作ハンドルのプシュ時には、内側の第２摺動体４７の上下壁４７ａ，４７ｂの先端部４７ｅ，４７ｅは、図６の矢印Ｂの方向に第２摺動体４７が移動すると、操作片４０が水平状態（可動片４３が邪魔にならない）であることから、可動片４３の上下にそれぞれ入り込む。
【００５０】
（ｈ）作用の２−図７
これに対して、図７は操作片４０が傾倒状態である。この場合には、プッシュ・プル錠におけるラッチ施錠片６０の解除態様が、プッシュ・プル仕様から、いずれか一方の仕様（例えばプル仕様）に切り替わる。
【００５１】
この実施例では、内外の操作ハンドルのプル時に上下の押圧片４８，４９が図６の矢印Ａ方向へ移動することを前提にしているので、かような前提条件の場合には、プッシュ操作時、内側の第２摺動体４７の前進は、可動片４３の後壁４３ａに阻まれるので、プッシュ操作でのラッチ施錠片６０の係合解除は不可ということになる。
【００５２】
一方、プル操作時、外側の第１摺動体４６は上下いずれかの押圧片４８，４９によって矢印Ａ方向へ移動可能なので、ラッチ施錠片６０は前述したように係合解除の方向へ回転する。したがって、図７の仕様は、本来的なプッシュ・プル仕様でないから、片面的仕様（プル仕様）ということになる。
【００５３】
次に、図１０乃至図１３を参照にして、本発明の第２実施例を説明する。第２実施例は、特許文献２に記載の錠前に本発明を適用したものである。したがって、第２実施例は、錠前５Ａの構造が相違する点を除き、第１実施例と発明の主たる構成は同一である。
【００５４】
なお、第２実施例の説明にあたって、第１実施例と同一の部分には同一の符号を付して重複する説明を割愛する。また、第２実施例の錠前５Ａの構成・作用を説明するにあたって、特許文献２と同一の部分には、同様の符号（例えばＡを付加）を用いることにする。
したがって、１Ａは戸枠、２Ａは受け金具、３Ａは縁、４Ａは扉、５Ａは錠前（プッシュ・プル錠）、７Ａは前板、１４Ａは開口等である。また、１６Ａは揺動片（押圧片）用の窓、３２Ａは可動枠部材、３３Ａはラッチロッド、３４Ａはラッチ用支持ブロック、３５Ａはラッチ等である。
【００５５】
さて、第２実施例の錠前５Ａの錠箱６Ａ内には、プッシュ及びプルの操作が可能な内側ハンドルを操作すると、該ハンドル側の揺動片（押圧片）５１Ａの駆動力によって左右（フロント側又はケースの後壁側）にそれぞれ水平移動する一つの同調部材３９Ａ（枠状摺動部材）と、この同調部材３９Ａが水平動すると、該同調部材の上方に配設された板状係合保持部材４１Ｃを介して係合解除の方向（上方方向）に内装ばね４８Ａのバネ力に抗して持ち上げられる可動ストッパー３８Ａと、該可動ストッパー３８Ａによって規制が解消され、かつ、反転式のラッチ３５Ａの回動に伴い、後方配設のばね部材３７Ａのバネ力に抗して錠箱６Ａの後壁側へラッチロッド３３Ａを介して後退する枠状可動枠部材３２Ａが組み込まれている。
【００５６】
前記ラッチ３５Ａの仮施錠時（可動ストッパー３８Ａが上方の内装バネ４８Ａのバネ力により下方に下降している場合）に於いて、同調部材３９Ａは、錠箱６Ａの下部に左右対称に配設された付勢手段４０Ｆ（可動ブロック４０ａ，付勢ばね４０ｂ）の付勢ばね４０ｂのバネ力により、可動枠部材３２Ａに間接的に係合する位置へと自動的に復帰する。この時、前記可動ストッパー３８Ａは下降しており、係合保持部材４１Ｃの先端係合部は、逆コ字型状の同調部材３９Ａの上壁面に形成された凹所状の被係合部に係合する。
【００５７】
上記構成に於いて、可動ストッパー３８Ａは、可動枠部材３２Ａに設けた係止部と係脱されると共に、係止部と係合することにより可動枠部材３２Ａの移動を規制してラッチ３５Ａを仮施錠状態にロックする。
【００５８】
したがって、この錠前５Ａは、図示しないハンドルをプル又はプッシュすると、錠箱６Ａ内に突出するハンドル側の揺動片５１Ａの駆動力により、かつ、付勢手段４０Ｆの付勢力に抗して水平移動する同調部材３９Ａ、この同調部材３９Ａに連動するようにラッチロッド３３Ａに案内される可動枠部材３２Ａ内に組み込まれた可動ストッパー３８Ａ、この可動ストッパー３８Ａを介して可動枠部材３２Ａの規制を解消するラッチ用仮施錠の解錠機構を備えたプッシュ・プル錠である。
【００５９】
そして、本発明は、錠箱内に前板７Ａの開口１４Ａに突起状の外端部分４０ａが位置するように該錠箱内にスイッチ式の操作片４０が軸受け１５を介して回転自在に設けている。図１１で示すように、可動片４３は操作片４０の制御部４２及び係合部４４を介して上下方向に位置変位（移動）する。その他基本的構成及び作用・効果は第１実施例と同一である。
【００６０】
したがって、図１２は、本来的なプッシュ・プル仕様の説明図であり、一方。図１３は、可動片４３の後壁４３ｃが同調部材３９Ａの先端部に対向して、該同調部材３９Ａの前進が阻止され、本来的なプッシュ・プル仕様からプル仕様の片面的仕様態様に切り替わる説明図である。
【実施例】
【００６１】
次に、操作片と可動片との係合構成の設計変更例及び操作片用保持手段の設計変更例について説明する。
【００６２】
まず、図１４及び図１５は、操作片と可動片との係合構成の設計変更例（便宜上、「設計変更例１」とする）である。第１実施例では、操作片４０と可動片４３との係合は、操作片４０の内端部の突起状制御部（制御ピン、制御突起など）４２である。
これに対して、設計変更例１は、ケース状或いは枠状の可動片４３Ａの後壁４３ｃの中央部に係合部（係合長孔、切欠部など）４４Ａ形成し、この係合部４４Ａに前板７に軸支されたスイッチ式操作片４０Ａの内端部４０ｃの先端部分（制御部）を差込んでいる（差込み係合）。
【００６３】
この実施例の場合には、可動障害片４３Ａの後壁４３ｃが第２摺動体４７の先端部（第１実施例）又は同調部材３９Ａの先端部（第２実施例）に対向し、又はスイッチ式操作片４０Ａの内端部４０ｃの先端部分（制御部）が直接対向する。
【００６４】
このように構成しても、第１実施例と同一の目的・効果を達成することができる。
【００６５】
次に、図１６及び図１７は、操作片用保持手段の設計変更例（便宜上、「設計変更例２」とする）である。
【００６６】
第１実施例では、位置が変位（切換え）した可動片４３を支持する保持手段４５は、複数個の部材（保持枠４５ａ及び付勢手段４５ｂ）から成る。換言すると、スイッチ式操作片４０は、可動片４３を介して保持手段４５に間接的に支持される。
【００６７】
これに対して、設計変更例２の保持手段４５Ａは、スイッチ式操作片４０Ｂの外端部分４０ａの左右の外側面にそれぞれ固定された弾性体（例えば弾性変位機能及び弾性復帰機能を有する部材）である。弾性体の一例はゴムや合成樹脂である。
【００６８】
なお、設計変更例２の保持手段４５Ａは、スイッチ式操作片４０Ｂの外端部分４０ａに固定的に設けられているが、例えば前板７の開口１４を形成する縁に係合する溝を有する環状、上向きコ字形状等に形成された弾性取付け片であっても良い。
【００６９】
このように、スイッチ式操作片４０Ｂの外端部分４０ａの左右の外側面又は前板７の開口１４縁部のいずれかに、操作片４０Ｂをダイレクトに支持する保持手段４５Ａを設けると、保持手段４５Ａの構成をシンプル化することができる。
【００７０】
そして、この設計変更例２では、仕様態様の切替え時、操作片４０Ｂの外端部分４０ａを前板７側から操作すると、操作片４０Ｂの内端部４０ｃが第２摺動体（第１実施例）や同調部材（第２実施例）の前進を阻止する位置まで移動して、本来的なプッシュ・プル仕様から片面的仕様態様に切り替わる。
【図面の簡単な説明】
【００７１】
図１乃至図９は、本発明の第１実施例を示す各説明図。図１０乃至図１３は、本発明の第２実施例を示す各説明図。図１４乃至図１５は、本発明の操作片と可動片との係合の設計変更例を示す各説明図。図１６乃至図１７は、本発明の保持手段の設計変更例を示す各説明図。
【図１】扉の閉戸時における錠前の一例を示す概略説明図。
【図２】ケース身を主とした錠箱の説明図。
【図３】ラッチ、ラッチ枠部、作動杆等の説明図。
【図４】前板、操作片等の説明図。
【図５】第１・第２摺動体等の説明図。
【図６】プッシュ・プル仕様時の作動状態の説明図。
【図７】片面的仕様（例えばプル仕様）時の作動状態の説明図。
【図８】主要部の分解斜視図。
【図９】主要部を組み合わせた状態の概略説明図。
【図１０】本発明を異なる錠前に適用した概略説明図（第２実施例）。
【図１１】主要部の拡大説明図。
【図１２】図６と同様のプッシュ・プル仕様時の作動状態の説明図。
【図１３】図７と同様の片面的仕様（例えばプル仕様）時の作動状態の説明図。
【図１４】本発明の操作片と可動片との係合の設計変更例１を示す説明図。
【図１５】要部を斜視から見た説明図。
【図１６】本発明の保持手段の設計変更例を示す説明図。
【図１７】要部を斜視から見た説明図。
【符号の説明】
【００７２】
Ｘ…ラッチの係止解除機構、１，１Ａ…戸枠、２，２Ａ…受け金具、３，３Ａ…縁、４，４Ａ…扉、５、５Ａ…錠前（プッシュ・プル錠）、６，６Ａ…錠箱、７，７Ａ…前板、７ａ…裏板、７ｂ…フロント、８…ラッチ枠部、９…開口窓、１４…開口、１４Ａ…開口、１５…軸受け、１６Ａ…揺動片（押圧片）用の窓、２０…窓孔、２１〜２５…固定軸、３０…ラッチ、３２…ラッチバネ、３３…作動杆、３７…係合切欠部、３７ａ…係合面、４０，４０Ａ，４０Ｂ…操作片、４０ａ…外端部、４０ｂ…中心部、４０ｃ…内端部（制御部）、４１…支軸、４２…制御部、４３…可動片、４４，４４Ａ…係合部、４３…可動片、４５，４５Ａ…保持手段、４６…第１摺動体、４７…第２摺動体、４８，４９…押圧片、５１，５４…揺動レバー用の切欠部、５５…揺動レバー、５６…アーム部、５８…揺動レバー用バネ、６０…ラッチ用施錠片、６１…第１係合部、６２…第２係合部、６３…施錠片用バネ、４７ｅ…摺動体の先端部、３２Ａ…可動枠部材、３３Ａ…ラッチロッド、３４Ａ…ラッチ用支持ブロック、３５Ａ…ラッチ、３８Ａ…可動ストッパー、５１Ａ…揺動片（押圧片）、３９Ａ…同調部材（枠状摺動部材）、３９ａ…突起状先端部、４０Ｆ…付勢手段、４０ａ…可動ブロック，４０ｂ…付勢ばね、４１Ｃ…係合保持部材。
【図１】
2007120057.tif 000003
【図２】
2007120057.tif 000004
【図３】
2007120057.tif 000005
【図４】
2007120057.tif 000006
【図５】
2007120057.tif 000007
【図６】
2007120057.tif 000008
【図７】
2007120057.tif 000009
【図８】
2007120057.tif 000010
【図９】
2007120057.tif 000011
【図１０】
2007120057.tif 000012
【図１１】
2007120057.tif 000013
【図１２】
2007120057.tif 000014
【図１３】
2007120057.tif 000015
【図１４】
2007120057.tif 000016
【図１５】
2007120057.tif 000017
【図１６】
2007120057.tif 000018
【図１７】
2007120057.tif 000019